(57)【要約】      （修正有）【課題】プラズマ表示パネルゲート駆動ＩＣ（ＨＶＩＣ）の外部補助ランプ発生回路を取り除き、システムのコスト低減と省スペースを達成する。【解決手段】電源スイッチ１６の両端子間の電圧を検出するセンサー２４と、基準電圧信号を外部設定に従って発生する基準発生器２６と、電源スイッチ１６のゲートを制御するために、フィードバック利得を与えるフィードバック回路３０とを含み、フィードバック回路３０は、電源スイッチ１６の両端子間の電圧を基準に追随させて安定にし、そこではＨＶＩＣ２２は、ＨＶＩＣ２２の外側にある回路部品を最少にして、ランプ駆動機能を実行する。【選択図】図３
2008134604.tif 000002
【特許請求の範囲】
【請求項１】
ランプ出力電圧波形を生成するために高電力スイッチを制御する、内部ランプ駆動機能を有する高電圧ゲート駆動ＩＣ（ＨＶＩＣ）であって、
前記電源スイッチの両端子間の電圧を検出するセンサーと、
基準電圧信号を外部設定に従って発生する基準発生器と、
前記電源スイッチのゲートを制御するためにフィードバック利得を与えるフィードバック回路
とを含み、前記フィードバック回路は、前記電源スイッチの両端子間の電圧を基準に追随させ、安定にし、前記ＨＶＩＣは、その外側にある回路部品を最少にして、前記ランプ駆動機能を実施するようになっているＨＶＩＣ。
【請求項２】
高電力スイッチに並列に接続されている１対の抵抗をさらに備え、電圧が前記スイッチ上部の第１の分割された出力電圧の変化から成り、前記第１電圧信号は、前記高電力スイッチ、および前記１対の抵抗に結合されたノードで監視されるようになっている請求項１に記載のＨＶＩＣ。
【請求項３】
フィードバックシステムは、正端子で第１電圧信号を、負端子で基準電圧信号を受信し、かつ安定なランプ出力を生成する演算誤差増幅器３２を備える請求項２に記載のＨＶＩＣ。
【請求項４】
安定なランプ出力が、外乱にかかわらず生成される請求項３に記載のＨＶＩＣ。
【請求項５】
電源スイッチは、ランプ出力電圧波形を形成して、前記高電力スイッチの遅い階段状のターンオンを可能にするように制御される請求項４に記載のＨＶＩＣ。
【請求項６】
ランプ出力電圧波形は、数Ｖ／μｓの遅い階段状のｄＶ／Ｄｔ特性を有する請求項５に記載のＨＶＩＣ。
【請求項７】
プラズマ表示パネル（ＰＤＰ）をリセットするために用いられる請求項６に記載のＨＶＩＣ。
【請求項８】
高電力スイッチと同じ集積回路に設けられている請求項１に記載のＨＶＩＣ。
【発明の詳細な説明】
【技術分野】
【０００１】
本出願は、２００６年８月３１日に提出の米国仮特許願第６０／８２４１８３号、および２００７年７月２０日に提出の米国仮特許願第１１／７８０８９７号に関連するものである。
【０００２】
本発明は、高電圧ゲート駆動ＩＣ（ＨＶＩＣ）、より詳細には、プラズマ表示パネル（ＰＤＰ）ゲート駆動ＩＣ内のＨＶＩＣにおいて、ランプ出力電圧波形を形成するために電源スイッチを駆動することに関する。
【背景技術】
【０００３】
ＰＤＰシステムはＰＤＰをリセットするためには、特殊な出力電圧波形を必要とする。このような特殊な出力電圧波形は、遅いｄＶ／Ｄｔ特性を有し、その大きさは、通常数Ｖ／μｓである。
【０００４】
図１は、一般のゲート駆動ＩＣ１２を備える従来のＰＤＰランプドライバ１０の回路図を示す。ランプドライバ１０は、スイッチ１６をゆっくりとオンにするために、補助回路を必要とする。グラフ１８に示すように、ドライバ１０によって与えられるランプは、２００〜３００Ｖの電圧ＶSETについて、１００〜３００μｓの期間にわたる。
【発明の開示】
【発明が解決しようとする課題】
【０００５】
図２は、機能システムで用いられるランプ駆動回路２０を示す。回路２０の電圧Ｖcbtspは機能システムのブーストラップ状態によって変えられる。受動部品およびスイッチの温度特性が大きく変化するので、ｄＶds／Ｄｔの勾配は温度に応じて変化する。ドライバ１２の出力電圧を一定にし、動作を安定にするために、駆動回路２０は追加部品を必要とする。それは、ツェナーダイオードＤZと、ｄＶds／Ｄｔの勾配を制御するために機能する可変抵抗ＲVARとを含んでいる。
【０００６】
さらに、スイッチ１６は、そのゲートおよびドレイン端子、ならびにゲートドライバ１２に結合される高電圧コンデンサＣRAMPを含んでいる。コンデンサＣRAMPは、２つの機能を有する。第１の機能は、スイッチ１６のゲートドレイン間容量を大きくすることである。第２の機能は、波形をＶdsのフィードバックによって安定させることである。
【０００７】
図２の回路１０におけるように、ゲートドライバ１２は、交換ノードＡで接続される２つのスイッチＱ１およびＱ２から成り、かつブーストラップコンデンサＣBTSPに並列であるスイッチング段を含んでいる。２つのスイッチＱ１およびＱ２は、方形入力信号を受信する増幅器によって駆動され、スイッチＱ１は、信号の逆を受信する。
【０００８】
補助回路１４と同じように、回路２０は、交換ノードＡとスイッチ１６のゲートとの間に接続される可変抵抗ＲVARと、スイッチＱ２に並列に接続されるツェナーダイオードＤZとを含んでいる。
【課題を解決するための手段】
【０００９】
本発明の目的は、外部補助ランプ発生回路を取り除くために、従って、システムのコストおよびスペースを省くために、内部ランプ駆動機能を有するＨＶＩＣを提供することである。
【００１０】
本発明の別の目的は、内部検出およびフィードバック機能によって使用可能な状態になる、安定なＨＶＩＣ出力を提供することである。
【００１１】
本発明の別の目的は、外乱にかかわらず、安定な出力波形を提供する一方で、ＨＶＩＣの外部補助回路を減らすことである。
【００１２】
ランプ出力電圧波形を生成するために、高電力スイッチを制御する、内部ランプ駆動機能を有する高電圧ゲートドライバＩＣ（ＨＶＩＣ）が提供される。ＨＶＩＣは、電源スイッチの両端子間の電圧を検出するセンサーと、基準電圧信号を外部設定に従って発生する基準発生器と、電源スイッチのゲートを制御するためにフィードバック利得を与えるフィードバック回路とを含み、フィードバック回路は、電源スイッチの両端子間の電圧を基準に追随させて、安定にし、そこではＨＶＩＣは、ＨＶＩＣの外側にある回路部品を最少にして、ランプ駆動機能を実施する。
【００１３】
本発明の他の特徴および利点について、添付図面に基づく本発明の次の説明により明らかにする。
【発明を実施するための最良の形態】
【００１４】
本発明は、外側にある回路を最少にしたＨＶＩＣの内部検出およびフィードバック機能を用いる、電源スイッチ１６用の安定なランプ駆動機能を有するＨＶＩＣを提供する。
【００１５】
図３は、内部ランプ駆動機能を有する、本発明のＨＶＩＣ回路２２を示す。ＨＶＩＣ回路２２は、出力電圧Ｖdsを検出する検出回路２４と、基準信号を外部基準設定によって発生する基準発生器２６と、フィードバック論理システム３０と、スイッチ１６のゲートを制御する出力バッファ２８とを含んでいる。ＨＶＩＣ回路２２は、安定なランプ波形を与える。高速フィードバックシステム３０の使用によって、ＨＶＩＣ回路２２は、外乱にかかわらず、安定なランプ出力を与えることができる。
【００１６】
図４は、内部ランプ駆動機能を提供する、本発明のＨＶＩＣ回路２２の１つの例示的実施形態を示す。ＨＶＩＣ回路２２は、電源スイッチ１６に並列に接続される外部抵抗Ｒ1およびＲ2をさらに含んでいる。検出回路２４は、スイッチ上部の分割された出力電圧の変化を検出する。これは、電圧信号ＶdsをＲ1とＲ2との間のノードで測定することによって達成される。
【００１７】
さらに、ＨＶＩＣ回路２２は、その正端子で電圧信号Ｖdsを、負端子で基準定電圧信号ＶREFを受信する演算誤差増幅器３２を含んでいる。基準定電圧信号ＶREFは、外部で設定される基準による基準発生回路２６によって発生する。演算誤差増幅器３２の出力は、スイッチ１６のゲートを制御するフィードバック利得を与える。
【００１８】
このようにして、ＨＶＩＣ回路２２は、外部補助回路を取り除いたのに安定なランプ出力を与える。従って、ＨＶＩＣ回路２２のＰＤＰリセットランプドライバにおける応用は、システムのコストおよびスペースを節約し、性能を改善する。
【００１９】
以上本発明を、その特定の実施形態に関して説明したけれども、多くの他の変形例と変更態様、および他の用途が、当業者には明らかである。従って本発明は、本明細書の特定の開示によって限定されるものではない。
【図面の簡単な説明】
【００２０】
【図１】電源スイッチを駆動する外部ランプ発生回路を用いる従来のＨＶＩＣの図である。
【図２】機能システムをスムーズに動作させるために、必要な追加の外部ランプ発生回路を含む、従来のＰＤＰランプドライバである図１のＨＶＩＣの応用の図である。
【図３】本発明の実施形態のＨＶＩＣの図である。
【図４】内部ランプ駆動機能を用いるＰＤＰランプドライバである図１のＨＶＩＣの例示的応用の図である。
【符号の説明】
【００２１】
１０  ＰＤＰランプドライバ
１２  ゲートドライバ
１４  補助回路
１６  電源スイッチ
１８  グラフ
２０  駆動回路
２２  ＨＶＩＣ回路
２４  検出回路
２６  基準発生器
２８  出力バッファ
３０  フィードバック論理システム
３２  演算誤差増幅器
Ａ  交換ノード
ＣBTSP  ブーストラップコンデンサ
ＣRAMP  高電圧コンデンサ
ＤZ  ツェナーダイオード
Ｑ１  スイッチ
Ｑ２  スイッチ
ＲVAR  可変抵抗
Ｒ1  外部抵抗
Ｒ2  外部抵抗
Ｖcbtsp  電圧
Ｖds  出力電圧
ＶREF  基準定電圧
ＶSET  電圧
【図１】
2008134604.tif 000003
【図２】
2008134604.tif 000004
【図３】
2008134604.tif 000005
【図４】
2008134604.tif 000006
【手続補正書】
【提出日】平成19年10月30日(2007.10.30)
【手続補正１】
【補正対象書類名】図面
【補正対象項目名】全図
【補正方法】変更
【補正の内容】
【図１】
2008134604.tif 000007
【図２】
2008134604.tif 000008
【図３】
2008134604.tif 000009
【図４】
2008134604.tif 000010
【外国語明細書】
2008134604000001.pdf